(57)【特許請求の範囲】
【請求項１】
第１のコネクタ本体と、上記第１のコネクタ本体に連結し、嵌合軸の周囲に配置されたコネクタ筐体空洞を規定する被覆部材とを備える第１のコネクタ筐体であって、上記第１のコネクタ本体は、上記嵌合軸に対して平行に形成されている、上記コネクタ筐体空洞と交差する複数の第１の端子開口部を規定している、第１のコネクタ筐体；
上記第１のコネクタ筐体へ固定して連結されている複数のオス端子であって、各オス端子は上記第１の端子開口部の１つに収容されており、上記コネクタ筐体空洞の中へ延びる部分を有する、複数のオス端子；
上記第１のコネクタ筐体の向かい合った側面に配置されている一組のロックタブであって、各ロックタブは、第１のロック歯、第２のロック歯および第１のロック歯と第２のロック歯との間に配置されたロック凹部を有し、各第１のロック歯は関連するロックタブの１つの遠位端に配置されている、一組のロックタブ；
上記コネクタ筐体空洞でスライド可能に収容されており、上記嵌合軸に沿って移動可能であり、本体、上記本体を貫いて形成されている複数の端子開口部および一組のロック突起を備えているオス端子保護部材であって、上記端子開口部は、上記オス端子に即応して配置されており、上記ロック突起は、上記オス端子保護部材が上記嵌合軸に沿って上記オス端子に向かうように移動させられるときに上記ロックタブを上記第１のコネクタ筐体から外側にそらせるように構成されており、上記ロック突起は、上記オス端子保護部材を保護部材プリセット位置に置くように上記ロック凹部に配置される、オス端子保護部材；および
上記第１のコネクタ筐体に旋回可能に連結されているレバーであって、上記ロックタブが上記レバーとともに旋回運動するように連結されている、レバー；を備えており、
上記オス端子保護部材が上記保護部材プリセット位置にある場合、上記コネクタ筐体空洞の中へ延びる上記オス端子の一部は、第１のコネクタ本体と上記オス端子保護部材との間に配置され；
上記オス端子保護部材は、上記嵌合軸に沿って上記第１のコネクタ本体に向かい、上記オス端子の一部が上記オス端子保護部材を通して延びる保護部材フルセット位置の中へ移動可能である、コネクタアセンブリ。
【請求項２】
第２のコネクタ筐体および複数のメス端子をさらに含み、上記第２のコネクタ筐体は複数の第２の端子開口部を規定し、上記各メス端子は対応する上記第２の端子開口部に収容され、上記第２のコネクタ筐体は上記コネクタ筐体空洞に収容され、上記嵌合軸に沿ってコネクタプリセット位置とコネクタフルセット位置との間で上記第１のコネクタ筐体に対して移動可能であり、上記第２のコネクタ筐体は、上記第２のコネクタ筐体が上記コネクタプリセット位置にある場合に上記ロック凹部から上記ロック突起が外れるように上記ロックタブをそらし、上記オス端子は、上記第２のコネクタ筐体が上記コネクタフルセット位置にある場合に上記メス端子の中へ収容されている、請求項１に記載のコネクタアセンブリ。
【請求項３】
上記コネクタプリセット位置から上記コネクタフルセット位置への上記第２のコネクタ筐体の移動に付随する、上記第１のコネクタ筐体および上記第２のコネクタ筐体の間での相対運動を引き起こすように上記第２のコネクタ筐体をはめ込むように上記レバーが構成されている、請求項２に記載のコネクタアセンブリ。
【請求項４】
上記第１のロック歯が、上記第２のロック歯より大きな度合で上記コネクタ筐体空洞の中へ突出する、請求項３に記載のコネクタアセンブリ。
【請求項５】
上記第１のロック歯が、上記第２のロック歯より大きな度合で上記コネクタ筐体空洞の中へ突出する、請求項１に記載のコネクタアセンブリ。
【請求項６】
上記ロックタブおよび上記レバーは、互いに一体的に形成されている、請求項１に記載のコネクタアセンブリ。
【発明の詳細な説明】
【技術分野】
【０００１】
本開示はオス端子保護部材を有するコネクタアセンブリに関する。
【背景技術】
【０００２】
本項で本開示に関する背景技術を提供する。本背景技術は必ずしも従来技術ではない。
【０００３】
嵌合コネクタアセンブリは、自動車産業を含んでいる様々な産業で導電体の装置をお互いに連結するために広く使用されている。比較的最近の進展はＵ.Ｓ.特許Ｎｏ. ７，６７０，１７７に開示されている様式のフローティング整列部材に関する。フローティング整列部材はオスコネクタ筐体にスライド可能に収容され、延伸位置と奥寄り位置との間を移動するように構成されている。フローティング整列部材は、メスコネクタ筐体をオスコネクタ筐体に嵌合させるより前に、延伸位置に配置され、メスコネクタ筐体がオスコネクタ筐体に対して完全に一致する位置に移動する場合に奥寄りに移動される。そのような構造は本来の目的に適している一方で、我々はいくつかの欠点に気づいた。例えば、フローティング整列部材はオスコネクタ筐体へロックされており、オスコネクタ筐体からロックを解除するための解除力は、メスコネクタ筐体をオスコネクタ筐体へ着座させるための力へ加えられる。メスコネクタ筐体をオスコネクタ筐体へ嵌合させるために必要とされる力が、互いに接続される導電体の量の影響を大きく受け得ることは、十分に理解されるであろう。例として、比較的大量の導電体が互いに連結される場合、オスコネクタ筐体に対してメスコネクタ筐体を完全に嵌合するための力は比較的大きくなり得る。さらに、オス端子およびメス端子の素子（オスコネクタ筐体およびメスコネクタ筐体にそれぞれ保持されている）の接続は、初めにお互いに整列させられ、はめ込まれるが、これにオスコネクタ筐体からのフローティング整列部材の解除の時間を合わせることは好ましくない可能性がある。したがって、本技術分野において、オス端子保護部材を有する改良されたコネクタアセンブリの必要性が残っている。
【発明の概要】
【０００４】
本項で本開示の一般的な概要を提供する。本項はその全ての適用範囲または全ての特徴を包括している開示ではない。
【０００５】
１つの形態として、本教示は、第１のコネクタ筐体、複数のオス端子、一組のロックタブおよびオス端子保護部材を含むコネクタアセンブリを提供する。第１のコネクタ筐体は、第１のコネクタ本体と第１のコネクタ本体に連結し、嵌合軸の周囲に配置されたコネクタ筐体空洞を規定する被覆部材とを有している。第１のコネクタ本体は、嵌合軸に対して平行に形成されている、コネクタ筐体空洞と交差する複数の第１の端子開口を規定する。オス端子は第１のコネクタ筐体へ固定して連結されている。各オス端子は第１の端子開口の１つに収容されており、コネクタ筐体空洞の中へ延びる部分を有する。ロックタブが第１のコネクタ筐体の反対側に配置されている。各ロックタブは、第１のロック歯、第２のロック歯および第１のロック歯と第２のロック歯の間に配置されたロック凹部を有する。各第１のロック歯は関連するロックタブの１つの遠位端に配置されている。オス端子保護部材はコネクタ筐体空洞でスライド可能に収容されており、嵌合軸に沿って移動可能である。オス端子保護部材は、本体、本体を貫いて形成されている複数の端子開口部、および一組のロック突起を有する。端子開口部はオス端子に即応して配置されている。ロック突起は、オス端子保護部材が嵌合軸に沿ってオス端子に向かうように移動させられるときに、ロックタブを第１のコネクタ筐体から外側にそらせるように構成されている。ロック突起は、オス端子保護部材を保護部材プリセット位置に置くように、ロック凹部に配置されている。オス端子保護部材が保護部材プリセット位置にある場合、コネクタ筐体空洞の中へ延びるオス端子の一部は、第１のコネクタ本体とオス端子保護部材との間に配置される。オス端子保護部材は、嵌合軸に沿って第１のコネクタ本体に向かい、オス端子の一部がオス端子保護部材を通して延びる保護部材のフルセット位置の中へ移動可能である。
【０００６】
さらなる適用の領域は、本明細書の記述から明らかにされる。この概要における記述および具体例は説明のためを意図するものであって、本開示の適用範囲を限定するものではない。
【０００７】
本明細書で記述された図は、説明のみを目的として選ばれた実施形態であり、可能な実施形態の全てではなく、本開示の適用範囲の限定を意図するものではない。
【図面の簡単な説明】
【０００８】
【図１】本開示の教示に従って構成されたコネクタアセンブリの斜視図である。
【図２】ライン２−２に沿って取られた図１のコネクタアセンブリの断面図であり、コネクタアセンブリの残存部分から分解組立図で示された場合の第２のコネクタ筐体を描写しており、コネクタアセンブリは、一組のワイヤーハーネスの導電体へ連結される場合がさらに描写されている。
【図３】第１のコネクタ筐体、レバーおよびオス端子保護部材をより詳しく描写している、図１のコネクタアセンブリの一部の分解組立図で示された斜視図である。
【図４】図３で描写されたコネクタアセンブリの一部の斜視図である。
【図５】図４のライン５−５に沿って取られた斜視断面図である。
【図６】図２と類似しているが、コネクタプリセット位置にある第１のコネクタ筐体に対して位置合わせされた第２のコネクタ筐体を描写している図である。
【図７】図６の拡大図であり、ロックタブがオス端子保護部材を外すようにロックタブを第１のコネクタ筐体から外側にそらせる、第２のコネクタ筐体およびロックタブ上の第１のロック歯の間の接触をより詳しく示している。
【発明を実施するための形態】
【０００９】
いくつかの図を通して一致している部材番号は同一の部材を示している。
【００１０】
図１および２を参照して、本開示の教示に従って構成されたコネクタアセンブリは、部材番号１０によって示される。コネクタアセンブリ１０は、第１のコネクタ筐体１２、第２のコネクタ筐体１４、複数のオス端子１６、複数のメス端子１８、レバー２０、一組のロックタブ２２、およびオス端子保護部材２４を含み得る。
【００１１】
図２および３で、第１のコネクタ筐体１２は、第１のコネクタ本体３０および第１のコネクタ本体３０に連結されている被覆部材３２を有し得る。被覆部材３２は嵌合軸３６の周囲に配置されるコネクタ筐体空洞３４を規定し得る。第１のコネクタ本体３０は、嵌合軸３６に対して平行に形成されコネクタ筐体空洞３４と交差する、複数の第１の端子開口部３８を規定することができる。
【００１２】
第２のコネクタ筐体１４は、複数の第２の端子開口部４０を規定し得、コネクタ筐体空洞３４の中へ収容される大きさであり、嵌合軸３６に沿ってコネクタプリセット位置とコネクタフルセット位置の間で第１のコネクタ筐体１２に対してスライド可能である。
【００１３】
オス端子１６は第１のコネクタ筐体１２に固定して連結されている。各オス端子１６は第１のオス端子開口部３８の一つに収容されており、コネクタ筐体空洞３４の中へ延伸する部分４４を有する。
【００１４】
各メス端子１８は、第２のコネクタ筐体１４の対応する第２のメス端子開口部４０の一つに収容されている。メス端子１８は、より詳しく後述されるように、オス端子１６をはめ込むように構成されている。
【００１５】
レバー２０は、第１のコネクタ筐体１２および第２のコネクタ筐体１４の一方に旋回可能に連結され得、第１のコネクタ筐体１２および第２のコネクタ筐体１４の他方をはめ込むように構成され得、これにより第１のコネクタ筐体１２および第２のコネクタ筐体１４の間で相対運動を引き起こし、これは、コネクタプリセット位置からコネクタフルセット位置への第２のコネクタ筐体１４の移動に付随するものである。提供された特定の例において、レバー２０は第１のコネクタ筐体１２に旋回可能に連結されており、第１のコネクタ本体３０へ第２のコネクタ筐体１４を引き寄せるように（言い換えれば、コネクタプリセット位置からコネクタフルセット位置へ）、第２のコネクタ筐体をはめ込むように構成されている。
【００１６】
ロックタブ２２は、第１のコネクタ筐体１２の向かい合った側面に配置され得る。各ロックタブ２２は第１のロック歯５０、第２のロック歯５２、および第１のロック歯５０と第２のロック歯５２との間に配置されているロック凹部５４を有し得る。第１のロック歯５０は、第２のロック歯５２より大きな度合でコネクタ筐体空洞３４の中へ突出し得る。この点について、第１のロック歯５０の間の間隔が第２のロック歯５２を横切る間隔より比較的大きくなるように、第１のロック歯５０は第２のロック歯５２より比較的大きくなっていることができる。各第１のロック歯５０は、関連するロックタブの一つの遠位端５６に配置され得る。各ロックタブ２２の近位端５８は、他の構造へ弾性的に取り付けられ得る。提供された特定の例において、ロックタブ２２はレバー２０と一体的に形成されているが、別の手段においてロックタブ２２は第１のコネクタ筐体１２に直接形成され得ることが十分に理解できるだろう。
【００１７】
図２から図５において、オス端子保護部材２４はコネクタ筐体空洞３４にスライド可能に収容され得、第１のコネクタ本体３０と第２のコネクタ筐体１４とのあいだに配置され得る。オス端子保護部材２４は嵌合軸３６に沿って移動可能であり得、本体６０、複数の端子開口部６２および一組のロック突起６４を有し得る。端子開口部６２は本体６０を貫いて形成され得、オス端子１６に即応して配置され得る。ロック突起６４は、オス端子保護部材２４が嵌合軸３６に沿ってオス端子１６に向かうように移動させられる場合に、ロックタブ２２を第１のコネクタ筐体１２から外側にそらせるように構成されている。ロック突起６４は、保護部材プリセット位置においてオス端子保護部材２４を第１のコネクタ筐体１２に対して位置を合わせるように、ロック凹部５４へ収容され得る。コネクタ筐体空洞３４の中へ延びるオス端子１５の部分４４は、オス端子保護部材２４が保護部材プリセット位置にある場合、第１のコネクタ本体３０とオス端子保護部材２４の間に配置されている。オス端子保護部材２４は嵌合軸に沿って第１のコネクタ本体３０に向かい、オス端子１６の部分がオス端子保護部材２４を通して延びている保護部材フルセット位置の中へ移動し得る。
【００１８】
主用途において、オス端子１６は関連する第１のワイヤーハーネス７２の導線７０と連結され得、第１のコネクタ筐体１２へ取り付けられ得る。オス端子保護部材２４はコネクタ筐体空洞３４へ収容され得、ロックタブ２２がオス端子保護部材２４を保護部材プリセット位置に保持し得るように、ロックタブ２２にはめ込まれている。当業者は、ロック突起６４と第２のロック歯５２の間の接触が嵌合軸３６に沿った保護部材フルセット位置へのオス端子保護部材２４の移動を抑制し得ることを十分に理解するだろう。当業者は、そのように位置合わせされた場合、オス端子保護部材は、オス端子の端とアセンブリ技術者の指等の他の物体との間の意図されない接触を防げることもまた十分に理解するだろう。メス端子１８は同様に第２のワイヤーハーネス７６の導線７４と連結され得、第２のコネクタ筐体１４へ取り付けられ得る。図６に示されるように、第２のコネクタ筐体１４はコネクタ筐体空洞３４に対して整列され得、第２のコネクタ筐体１４をコネクタプリセット位置に位置合わせするように、嵌合軸３６に沿って第１のコネクタ筐体１２に対してスライドされ得る。コネクタプリセット位置において、メス端子１８はオス端子１６にはめ込まれておらず、オス端子１６と接触していない。
【００１９】
図２、６および７に関して、第２のコネクタ筐体１４のコネクタプリセット位置の中への移動は、ロックタブ２２の遠位端５６を外側にそらせることを引き起こす、第２のコネクタ筐体１４とロックタブ２２との接触を引き起こし得る。これは、第２のロック歯５２が保護部材フルセット位置に向かうオス端子保護部材２４の移動を妨げないように、ロック突起６４が第１のロック歯５０および第２のロック歯５２から外れるようにしたものである。上述したように、第１のロック歯５０は、第２のロック歯５２より大きな度合でコネクタ筐体３４の中へ突出している。そうであるため、それらが第２のコネクタ筐体１４をそれらの間へ収容するために広がって離れる場合、特にメス端子１８が最初にオス端子１６に接触しているときに、第２のロック歯５２は、邪魔されない形でオス端子保護部材２４を第１のコネクタ本体３０に向かってスライドさせるのに十分な間隔で、本質的に広がって離れている。
【００２０】
従って、コネクタアセンブリ１０は、第２のコネクタ筐体１４を第１のコネクタ筐体へ嵌合させるのに必要な力がオス端子保護部材２４の影響を受けないように、オス端子保護部材２４が第１のコネクタ筐体１２からロック解除され得るように構成されている（第２のコネクタ筐体１４がコネクタプリセット位置に位置合わせされている場合）。レバー２０は第２のコネクタ筐体１４を第１のコネクタ本体３０へ向かい且つコネクタフルセット位置の中へ引くように回転され得る。第２のコネクタ筐体１４がコネクタプリセット位置からコネクタフルセット位置へ移動される際に、オス端子１６がメス端子１８にはめ込まれることはよく理解されるだろう。
【００２１】
前述の実施形態の記述は図および記述を目的として提供されている。上記記述は本開示を網羅または特定するものではない。個々の要素または特定の実施形態の特徴は特定の実施形態に限定されるのではなく、特に記載されていない実施形態でも、選ばれた実施形態を用いて置き換えて適用できる。同じ実施形態がいろいろと変更されてもよい。そのような変形は本開示からの逸脱とは見なされるべきではなく、全てのそのような変更は本開示の適用範囲に含まれることが意図されている。
【図１】
0005961722.tif 000002
【図２】
0005961722.tif 000003
【図３】
0005961722.tif 000004
【図４】
0005961722.tif 000005
【図５】
0005961722.tif 000006
【図６】
0005961722.tif 000007
【図７】
0005961722.tif 000008